(57)【要約】  本発明は、医薬品又は化粧品の液体の放出のためのポンプディスペンサー（１０）と、外部評価ユニット（１００，２００）とからなるセットに関する。ポンプディスペンサー（１０）が空になった後、前記評価ユニットが新しいポンプディスペンサー（１０）に取り付けられることができるように評価ユニットは交換可能に設計される。本発明は、外部評価ユニット（１００，２００）を得るために異なる設計を提案する。評価ユニット（１００）は、それが作動ボタン（６０）を検出するようにポンプディスペンサー（１０）の放出ヘッドに取り付けられることができ、それを部分的に置き換えることができる。評価ユニット（２００）は、代替的に受容容器を持つことができ、それは、少なくとも一つの側で開放し、その中にポンプディスペンサー（１０）が挿入され、その力の付与により作動を検出する。【選択図】  図１
2022501282.tif 000002
【特許請求の範囲】
【請求項１】
医薬品又は化粧品の液体の放出のためのポンプディスペンサー（１０）と、評価ユニット（１００，２００）とからなり、以下の特徴（ａ）〜（ｄ）を有するセット：
（ａ）ポンプディスペンサー（１０）が、液体リザーバー（２０）を有し、その上端に放出ヘッド（３０）が取り付けられている；
（ｂ）放出ヘッド（３０）が、液体リザーバー（２０）に固定されるベース（４０）と、放出の目的のためにベース（４０）に対して押し下げられることができる作動ボタン（６０）とを有する；
（ｃ）放出ヘッド（３０）が、ポンプ装置（５０）を有し、ポンプ装置（５０）が、作動ボタン（６０）の押し下げによって作動されることができ、ポンプ装置（５０）が、作動されると、液体を、液体リザーバー（２０）に接続されている入口通路（５３）から、放出ヘッド（３０）に与えられている放出開口（６２）に運ぶ；及び
（ｄ）評価ユニット（１００，２００）が、ポンプ装置（５０）の作動を検出するように構成され、
−  評価ユニット（１００）が、主セグメント（１１０）と作動セグメント（１２０）を有する外部評価ユニット（１００）として構成され、主セグメント（１１０）が、液体リザーバー（２０）又は放出ヘッド（３０）のベース（４０）に静止した態様で取りはずし可能に取り付けられ、作動セグメント（１２０）が、主セグメント（１１０）に対して動かされることができ、かつ主セグメント（１１０）に対するその動きが、検出センサー（１４０）によって検出されることができ、作動セグメント（１２０）は、作動ボタン（６０）がベース（４０）に対して押し下げられるとき、作動セグメント（１２０）も主セグメント（１１０）に対して動かされるように作動ボタン（６０）の上又はその上方に配置されるか、又は
−  評価ユニット（２００）が、受容容器（２１０）を有する外部評価ユニット（２００）として構成され、受容容器（２１０）が、少なくとも一つの側で開放しており、その中に少なくとも液体リザーバー（２０）が、取りはずし可能に押し込まれ、その結果、少なくとも放出開口（６２）が、受容容器の第一上端（２１０Ａ）で受容容器（２１０）から外に突出し、検出センサー（２４２）が、受容容器の反対側の第二端（２１０Ｂ）又はそれに取り付けられるクロージャー（２２０）に配置され、作動ボタン（６０）が押し下げられるとき、液体リザーバー（２０）によって力が検出センサー（２４２）に付与され、その結果、ポンプ装置の作動が、検出センサー（２４２）によって検出されることができる。
【請求項２】
以下の追加の特徴（ａ）を有する、請求項１に記載のセットであって：
（ａ）セットが、保護キャップ（７０）を含み、保護キャップ（７０）が、固定状態において、作動ボタン（６０）及び／又は放出開口（６２）をカバーする、
好ましくは、以下の（ｂ）〜（ｄ）の特徴の少なくとも一つをさらに有する、セット：
（ｂ）保護キャップ（７０）が、それが評価ユニット（１００）の主セグメント（１１０）及び放出ヘッド（３０）に非ポジティブ又はポジティブロック態様で結合されることができるように評価ユニット（１００）の主セグメント（１１０）及び放出ヘッド（３０）に適応されているか、及び／又は
（ｃ）保護キャップ（７０）及び評価ユニット（１００）の主セグメント（１１０）が、同一の結合装置（７２，１１２）を有し、結合装置（７２，１１２）が、各場合において液体リザーバー（２０）又は放出ヘッド（３０）の上の結合装置（４２）に結合されることができるか、及び／又は
（ｄ）保護キャップ（７０）が、評価ユニット（１００）の主セグメント（１１０）の上のラッチング結合のために構成され、主セグメント（１１０）が、放出ヘッド（３０）又は液体リザーバー（２０）の上のラッチング結合のために構成され、保護キャップ（７０）と主セグメント（１１０）の間のラッチング結合を解放するために下方の引張力が与えられる。
【請求項３】
以下の追加の特徴（ａ）を有する、請求項１又は２に記載のセットであって：
（ａ）評価ユニット（１００）の主セグメント（１１０）が、開放領域（１９０）を包囲する環状区域（１１４）を有し、それを通してポンプディスペンサー（１０）が、結合位置まで押されることができる、
好ましくは、以下の（ｂ）の特徴をさらに有する、セット：
（ｂ）電子構成要素及び／又は電池のための受容ハウジング（１１６）が、一つの側の環状区域（１１４）の上に与えられる。
【請求項４】
以下の追加の特徴（ａ）を有する、請求項１〜３のいずれかに記載のセットであって：
（ａ）作動セグメント（１２０）が、評価ユニット（１００）の主セグメント（１１０）の上で並進態様でスライドガイド（１１８）によって案内される、
好ましくは、以下の（ｂ）の特徴をさらに有する、セット：
（ｂ）作動セグメント（１２０）が、スライドガイド（１１８）のガイド区域（１２２）を有し、そのガイド区域（１２２）が、湾曲横断面を有し、それによってガイド区域（１２２）が、作動ボタンを部分的に包囲する。
【請求項５】
以下の追加の特徴（ａ）を有する、請求項１〜４のいずれかに記載のセット：
（ａ）作動セグメント（１２０）が、押圧面（１２４）を有し、押圧面（１２４）が、一つの側から作動ボタン（６０）を越えて突出し、その結果、作動ボタン（６０）は、作動セグメント（１２０）が押し下げられることによって間接的に同様に押し下げられる。
【請求項６】
以下の追加の特徴（ａ）を有する、請求項１〜５のいずれかに記載のセットであって：
（ａ）評価ユニット（１００）が、伝動装置（１５０）を有し、それによって主セグメントに対する作動セグメントの動きが、異なる方向に向けられた動き又は異なるように制限された動きに変換され、その変換された動きが、次いで検出センサー（１４０）を始動するために利用される、
好ましくは、以下の（ｂ）の特徴をさらに有する、セット：
（ｂ）伝動装置が、接触部材を有し、接触部材が、作動セグメントが動かされる場合において、接触部材がまず作動セグメントと同様に動かされ、次いで連続的な態様で動かされる作動セグメントに対して個々の動きなしでスライドするように配置される。
【請求項７】
以下の追加の特徴（ａ）及び（ｂ）を有する、請求項１に記載のセットであって：
（ａ）評価ユニット（２００）が、検出センサー（２４２）を含むセンサーユニット（２３０）を有する、
（ｂ）センサーユニット（２３０）が、ポンプディスペンサー（１０）の液体リザーバー（２０）と、底部（２１４）又は底側に取り付けられるクロージャー（２２０）との間に配置される、
好ましくは、以下の（ｃ）の特徴をさらに有する、セット：
（ｃ）検出センサー（２４２）が、力センサー又は圧力センサーとして構成され、それが、液体リザーバー（２０）から受容容器（２１０）の底部（２１４）又は底側クロージャー（２２０）の方向に作用する力又は圧力を測定する。
【請求項８】
以下の追加の特徴（ａ）を有する、請求項１又は７に記載のセットであって：
（ａ）受容容器（２１０）が、その第二端で永久に閉じられた構成を持ち、その第一端で、少なくとも液体リザーバー（２０）を押し込むことができるのに十分に大きい開口を有する、
好ましくは、以下の（ｂ）及び（ｃ）の特徴の少なくとも一つをさらに有する、セット：
（ｂ）受容容器（２１０）が、液体リザーバー（２０）がその中に完全に又は実質的に完全に受容されることができるのに十分に大きい長さを有する、及び／又は
（ｃ）受容容器（２１０）が、第一端に保持装置（２４０）を有し、その保持装置（２４０）によって、押し込まれたポンプディスペンサー（１０）が、外側にスライドすることに対して非ポジティブ又はポジティブロック態様で固定されることができる。
【請求項９】
以下の追加の特徴（ａ）を有する、請求項１又は７に記載のセット：
（ａ）受容容器（２１０）が、両側に開口構成を持ち、第一端の開口（２５０）が、内側開放横断面を有し、内側開放横断面が、ポンプディスペンサー（１０）の最大横断面より少なくとも複数の区域において小さく、その結果、ポンプディスペンサー（１０）が、内側から部分的にのみ開口（２５０）を通って押し出されることができるが、少なくとも放出開口（６２）が押し出されることができる。
【請求項１０】
以下の追加の特徴（ａ）を有する、請求項９に記載のセットであって：
（ａ）評価ユニット（２００）が、第二端（２１０Ｂ）に受容容器を閉じるためのクロージャー（２２０）を有し、クロージャー（２２０）が、それが除去されかつ結合されることができるように構成される、
好ましくは、以下の（ｂ）〜（ｄ）の特徴の少なくとも一つをさらに有する、セット：
（ｂ）受容容器（２１０）とともに、クロージャー（２２０）が、内部空間（２６０）を画定し、内部空間（２６０）が、液体リザーバー（２０）がその中で完全に又は実質的に完全に受容されることができるのに十分に大きい、及び／又は
（ｃ）クロージャー（２２０）が、ねじ（２２２）又は差込み結合によって受容容器の上に結合されることができる、及び／又は
（ｄ）クロージャー（２２０）が、センサーユニット（２３０）を有し、クロージャー（２２０）が、センサーユニットのハウジングを形成するか、又はセンサーユニット（２３０）のハウジングの固定受容もしくは取りはずし可能な受容のために構成される。
【請求項１１】
以下の追加の特徴（ａ）を有する、請求項１，７〜１０のいずれかに記載のセット：
（ａ）受容容器（２１０）が、少なくとも複数の区域で透明材料から、好ましくは透明プラスチックから製造されている。
【請求項１２】
以下の追加の特徴（ａ）を有する、請求項１，７〜１１のいずれかに記載のセット：
（ａ）受容容器（２１０）が、外殻壁（２１６）を有し、その形状が、実質的に液体リザーバー（２０）の外殻壁（２２）の形状に対応し、これらの外殻壁（２２，２１６）が、好ましくは各場合において円筒形を有する。
【請求項１３】
以下の追加の特徴（ａ）を有する、請求項１，７〜１２のいずれかに記載のセット：
（ａ）セットが、保護キャップ（２７０）を含み、保護キャップ（２７０）が、受容容器（２１０）の第一端（２１０Ａ）に取りはずし可能に固定されるために構成されている。
【請求項１４】
以下の追加の特徴（ａ）〜（ｆ）の少なくとも一つを有する、請求項１〜１３のいずれかに記載のセット：
（ａ）ポンプディスペンサー（１０）の液体リザーバー（２０）が、スナップ作用接続もしくはねじ接続によって放出ヘッド（３０）に接続されるか、又は放出ヘッドのベースが、液体リザーバーとワンピースで構成されている、及び／又は
（ｂ）液体リザーバー（２０）が、実質的に円筒形で造形されている、及び／又は
（ｃ）液体リザーバー（２０）が、外殻壁（２２）の領域で外側に印刷（２６）を与えられている、及び／又は
（ｄ）ポンプ装置（５０）が、ポンプ室（５２）、入口側入口弁（５４）、及び出口側出口弁（５６）を有し、入口弁（５４）が、液体リザーバー（２０）に対してポンプ室（５２）中が負圧の場合に開放し、出口弁（５６）が、周囲大気圧に対してポンプ室（５２）中が正圧の場合に開放する、及び／又は
（ｅ）放出開口（６２）が、作動ボタン（６０）に取り付けられ、その結果、作動ボタン（６０）が放出ヘッド（３０）のベース（４０）に対して押し下げられるとき、それが、同様に押し下げられる、及び／又は
（ｆ）液体リザーバーが、化粧品又は医薬品の液体で、特にクリーム、軟膏、又はローションで満たされる。
【請求項１５】
以下の追加の特徴（ａ）〜（ｃ）を有する、請求項１〜１４のいずれかに記載のセットであって：
（ａ）セットが、携帯評価装置（３００）、特に携帯電話の形のものを含み、それが、無線データインターフェースによって評価ユニットに接続されている、
好ましくは、以下の特徴（ｂ）及び（ｃ）の少なくとも一つを有する、セット：
（ｂ）無線データインターフェースが、ブルートゥース（登録商標）インターフェースである、及び／又は
（ｃ）評価ユニット（１００，２００）が、メモリーを有し、検出センサーによって検出されたデータが、無線接続が存在する場合に、携帯評価装置（３００）又は中央サーバー（４００）に後で送信されるためにメモリー中に記憶されている。
【請求項１６】
以下の追加の特徴（ａ）〜（ｆ）を有する、請求項１〜１５のいずれかに記載のセット：
（ａ）評価ユニット（１００，２００）が、圧力センサー（２４２）、力センサー（２４２）、又は変位センサー（１４０）のうちの少なくとも一つのセンサーを、特にスイッチ（１４０）の形で有する、及び／又は
（ｂ）評価ユニット（１００，２００）が、液体リザーバー中に残る液量を検出するために与えられる少なくとも一つのセンサー（２４２）を有する、及び／又は
（ｃ）評価ユニット（１００，２００）が、少なくとも一つの加速度センサーを有する、及び／又は
（ｄ）評価ユニット（１００，２００）又は携帯評価装置（３００）が、全地球位置検出装置の形の少なくとも一つのセンサーを有する、及び／又は
（ｅ）評価ユニット（１００，２００）又は携帯評価装置（３００）が、検出センサーによって検出される各作動の場合に、作動の時間、位置、特性的特徴、もしくは周囲パラメーターを記憶し、かつ／又はそれらをインターネットによって中央サーバーに送信するように構成されている、及び／又は
（ｆ）評価ユニットが、表示装置、特に発光ダイオード又はディスプレイ（１６０）の形の表示装置を有する。
【発明の詳細な説明】
【技術分野】
【０００１】
本発明は、医薬品又は化粧品の液体の放出のためのポンプディスペンサーを含み、さらに評価ユニットを含むセットに関する。
【背景技術】
【０００２】
ここで、本発明の文脈において、ポンプディスペンサーは、従来技術から良く知られている液体リザーバーを有するポンプディスペンサーであり、その上端には放出ヘッドが与えられている。前記放出ヘッドは、液体リザーバーに固定されたベース、及び放出の目的のためにベースに対して押し下げられることができる作動ボタンを有する。放出ヘッドは、ポンプ装置を有し、ポンプ装置は、作動ボタンの押し下げによって作動されることができ、ポンプ装置は、作動の場合に、液体を、液体リザーバーに接続される入口通路から、放出ヘッドの上に与えられる放出開口に運ぶ。
【０００３】
記載されたタイプのポンプディスペンサーは、安価に製造されることができる、比較的簡単な装置である。ポンプディスペンサー及び／又はそこに含まれる液体の製造者と使用者の両方に利益をもたらすために、このタイプのポンプディスペンサーを使用することが望ましい。しかし、ポンプディスペンサーの作動操作の検出及びさらなる処理のための電子構成要素は、比較的高価であり、その結果、ポンプディスペンサーへの電子構成要素の一体化は、一般的に経済的でない。
【発明の概要】
【０００４】
本発明の課題は、さらにデータ技術を使用して処理されることができるために、放出が検出されるように上記タイプのポンプディスペンサーを改良することである。
【０００５】
この目的のために、冒頭で述べたタイプのポンプディスペンサーと評価ユニットからなるセットであって、評価ユニットがポンプ装置の作動の検出のために構成されるセットを提供することが提案される。
【０００６】
本発明の基本概念は、ポンプディスペンサーが、外部評価ユニットとして構成される評価ユニットを補足されていることである。本発明の文脈では、外部評価ユニットは、それがポンプディスペンサーの基本機能とは関係しないことを意味すると理解される。評価ユニットが取りはずされても、ポンプディスペンサーは、分離した状態で機能的に作動することができ、習慣的な方法で使用されることができる。本発明によるセットの外部評価ユニットは、前記ポンプディスペンサーを補足し、それが作動ボタンの押し下げによって作動を検出することができるような方法でポンプディスペンサーの外側に取り付けられることができる。それは、簡単に取りはずし可能な方法でポンプディスペンサーに取り付けられ、その結果、使用者がポンプディスペンサーを交換し、新しいポンプディスペンサーを有する評価ユニットを使用しつづけることが容易である。
【０００７】
以下の文章においてより詳細に記載されている検出センサーは、作動ボタンの押し下げによるポンプディスペンサーの作動の検出のために与えられる。前記検出センサーは、デジタル又はアナログ電気信号を発生し、それを評価ユニットのさらなる電子構成要素によってさらに処理及び／又は送信することができる。検出センサーは、変位又は力又は圧力センサーとして構成されることが好ましい。
【０００８】
評価ユニットがポンプディスペンサーに取り付けられている場合には、前記センサーは、力の流れ（ｆｏｒｃｅ  ｆｌｏｗ）に配置されることが好ましい。通例の作動の場合には、前記力の流れは、作動ボタンを作動するユーザーの指から作動ボタンまで延び、そこから放出ヘッドのベース及び液体リザーバーまで延び、そして通例の操作の場合には液体リザーバーのまわりを把持するユーザーの手まで延びる。
【０００９】
検出センサーは、それが作動ボタンと放出ヘッドのベースの間の動きを検出するように、又はそれが液体リザーバーとユーザーのつかむ手の間の力又は圧力を検出するように配置されることが好ましい。
【００１０】
二つの特定の全体設計が提案される：
【００１１】
第一の全体設計の場合には、評価ユニットは、主セグメントと作動セグメントを有する外部評価ユニットとして構成され、主セグメントは、液体リザーバー又は放出ヘッドのベースに静止した態様で取りはずし可能に取り付けられ、作動セグメントは、主セグメントに対して動かされることができ、主セグメントに対するその動きは、検出センサーによって検出されることができ、作動セグメントは、作動ボタンがベースに対して押し下げられるとき、作動セグメントも主セグメントに対して動かされるように作動ボタンの上又はその上方に配置される。
【００１２】
第二の全体設計の場合には、評価ユニットは、受容容器を有する外部評価ユニットとして構成され、受容容器は、少なくとも一つの側で開放しており、その中に少なくとも液体リザーバーが、取りはずし可能に押し込まれ、その結果、少なくとも放出開口は、受容容器の第一上端で受容容器から外に突出し、検出センサーは、受容容器の反対側の第二端又はそれに取り付けられるクロージャーに配置され、作動ボタンが押し下げられるとき、液体リザーバーによって力が検出センサーに付与され、その結果、ポンプ装置の作動が、検出センサーによって検出されることができる。
【００１３】
これらの全体設計に依存して、検出センサーは、異なる構成を持つことが好ましい。第一の全体設計の場合には、特に、それは、力センサー又は変位センサーであり、ほとんどの用途のために数値評価が十分であり、その結果、このタイプのセンサーは、特に主セグメントに対する作動セグメントの動きを検出する簡単なスイッチとして構成されることができる。
【００１４】
第二の全体設計の場合には、検出センサーは、圧力センサー又は力センサーであることが好ましく、それは、力を測定し、この力によって液体リザーバーは、検出センサーを押圧する。
【００１５】
他のタイプのセンサーも検出センサーとして基本的に使用されることができる。即ち、例えば、振動又は加速度センサーを検出センサーとして使用することができ、それは、例えば作動ボタンが一つ以上のラッチング縁を通ることによって起こされる振動を感知することによって間接的に作動を検出する。さらに、評価ユニットにおける振動又は加速度センサーの存在はまた、他の機能のために有利である。即ち、例えば、それは、ポンプディスペンサーが使用前に十分に振られたかどうかを決定することができる。
【００１６】
評価ユニットはまた、液体リザーバーに残る液体量の検出のために与えられる少なくとも一つのセンサーを有することができる。その構成に依存して、上述の第二の全体設計の場合には、前記圧力センサーはまた、セットの静止状態においてポンプディスペンサーがどれくらい重いかを検出することができ、これから残っている液体量を外挿することができる。
【００１７】
さらに、幅広い種類のさらなるセンサーが考えられ、それは、評価ユニットの一部になることが好ましい。従って、評価ユニットがポンプディスペンサーに取り付けられているかどうかを検出するためにセンサーシステムが与えられることができる。ポンプディスペンサーに特有の印刷ラベル又はポンプディスペンサー中の液体を特定する印刷ラベルが例えばＲＦＩＤ技術のためにポンプディスペンサーによって読み出されることも考えられる。さらなる可能なセンサーは、液体温度及び／又は周囲温度の検出のためのセンサーである。
【００１８】
評価ユニットは、検出されたデータがそれに直接記憶されるか、及び／又は表示装置によって、特に発光ダイオード又はディスプレイの形で示されるように構成されることができる。代替的に又は追加的に、評価ユニットが無線データインターフェースを特にブルートゥース（登録商標）インターフェース、４Ｇインターフェース又は５Ｇインターフェースの態様で有し、それによって検出されたデータは、サーバー又は携帯電話のような別の評価装置に送信されることができる。
【００１９】
本発明によるセットの使用は、それ自体知られているポンプディスペンサーを簡単な方法で補足することができ、使用者による取り扱いを検出し、さらに処理することができる。これは、様々な使用の可能性をもたらす。
【００２０】
使用者の経験から、特に化粧品用途の領域において、データ評価の可能性は、有利である。なぜなら使用者は、自分自身のタイプの使用方法がわかり、これに関して評価プログラムから提案を受けとることができるからである。特に前記外部評価ユニットで実行するこのタイプのプログラムは、使用の頻度、例えば押圧タイプなどの特定のタイプの使用を分析することができ、特に化粧品のような他の補足品に対する提案を行なうことができる。もし特に使用者によって使用される複数のディスペンサーが上記のタイプ又は別のタイプの評価ユニットを有するなら、目標とした方法で提案を行なうことができる。評価ユニットはまた、ディスペンサーの充填レベルを直接的に又は間接的にチェックすることができ、自動的又は半自動的な方法で対応する製品の追加注文操作をもたらすことができる。
【００２１】
医薬品の液体の分野では、医師によって規定される適用回数を観察するためのチェックがなされることができる。データは、任意選択的に医師に送られることができ、その結果、医師は、回数の観察について概観を得る。
【００２２】
典型的な使用に関する価値あるデータは、ポンプディスペンサーに貯蔵される液体の製造者の見方から誘導されることができる。従って、それは、使用の頻度が変化するかどうか、又はポンプディスペンサーの使用が通常どこで行なわれるかを検出することができる。
【００２３】
前記ポンプディスペンサーは、かなり一般的なポンプディスペンサーである。前述した評価ユニットとともに公知のポンプディスペンサーを使用するために必要な適応はない。これは、前述したシステムの市場導入を容易にする。もし例えばＲＦＩＤタグによるポンプディスペンサーの独自の識別のような特別な機能が望ましいなら、ポンプディスペンサーの適応のための条件が存在する。
【００２４】
それ自体公知であり、かつ本発明によるセットに使用するためのポンプディスペンサーが持つ典型的な手段は、次の通りである：ポンプディスペンサーの液体リザーバーは、放出ヘッドへのスナップ作用接続又はねじ接続によって接続されることができる。代替手段として、放出ヘッドのベースは、液体リザーバーと一体的に構成されることができる。液体リザーバーは、長尺体であることが好ましく、その主な方向は、特にベースに対する作動ボタンの動き方向と一致することが好ましい。液体リザーバーは、実質的に円筒形を有することが好ましく、前記液体リザーバーは、通常、上端にラッチング縁、又は放出ヘッドを結合するためのねじを与えられる。販売の準備が整った状態では、液体リザーバーは、液体、好ましくは化粧品又は医薬品の液体、特にクリーム、軟膏又はローションを充填される。
【００２５】
本発明によるセットの一部であるポンプディスペンサーは、その外側に、印刷（ｉｎｓｃｒｉｐｔｉｏｎ）、例えば商標、液体の内容の表示、又は使用の指示の印刷を持つことができる。
【００２６】
ポンプディスペンサーは、一般にポンプ装置、即ち作動ボタンが押し下げられるとき、液体リザーバーから液体リザーバーの液体の部分量を分離し、続いてそれを放出開口に案内する装置を持ち、好ましくは、ポンプ室において放出のために与えられる正圧は、直接、作動ボタンに付与される力によって発生される。特に、ポンプ装置は、ポンプ室、及び入口側入口弁及び出口側出口弁を持つことができ、入口弁は、ポンプ室中が液体リザーバーに対して負圧の場合には開放し、出口弁は、ポンプ室中が周囲大気圧に対して正圧の場合には開放する。ポンプ室は、体積に関して変動可能であり、これは、好ましくは、特に圧縮可能なベローによって、又は内部に可動ポンプピストンを有するポンプシリンダーによって達成される。
【００２７】
放出開口が放出ヘッドのベースに与えられる場合においても設計は可能であるが、作動ボタンに放出開口を有するポンプディスペンサーの場合に一般的である設計が本ケースにおいて好ましい。このタイプの設計の場合には、作動ボタンが放出ヘッドのベースに対して押し下げられるとき、放出開口は、同様に押し下げられる。
【００２８】
評価ユニットの第一の全体設計の場合には、機能原理は、作動ボタンの押し下げが同時に液体リザーバーに対して静止している主セグメントに対する作動セグメントの押し下げを起こすことに基づき、それは、評価の目的のために利用される。この目的のため、作動セグメントは、作動ボタンに対して横方向に取り付けられることができ、その結果、前記作動ボタンは、使用者によって直接押し下げ続けられる。しかしながら、作動セグメントは、作動の場合には使用者の指と作動ボタンの間に配置されることが好ましく、その結果、作動ボタンに力が間接的に付与される。
【００２９】
評価ユニットの第二の全体設計では、機能原理は、使用者が自分の手によって液体リザーバーを直接把持せず、代わりに作動の場合に液体リザーバーが支持される受容容器を把持することに基づく。それゆえ、一方の側の液体リザーバーと他方の側の受容容器又はそのクロージャーの間に力の作用が起こり、検出される。
【００３０】
評価ユニットの第一全体設計を有するセットは、保護キャップを含むことが好ましく、それは、固定状態では作動ボタン及び／又は放出開口をカバーする。このタイプの保護キャップは、通常、公知のポンプディスペンサーとともに供給される。それは、例えばポケットの中に入れて移動する場合に、作動ボタンが偶発的に押し下げられることを防止する。
【００３１】
もしこのタイプの保護キャップが十分に大きいなら、個々の場合において、前記第一全体設計の評価ユニットを保護キャップの受容空間内に完全に収容することが可能である。
【００３２】
しかしながら、保護キャップは、それが非ポジティブ又はポジティブロック態様で一方の側では放出ヘッドに、そして他方の側では評価ユニットの主セグメントに結合されることができるように放出ヘッド及び評価ユニットの主セグメントに適応される。これは、評価ユニットが使用されない場合は保護キャップが放出ヘッドに又は液体リザーバーに直接選択的に取り付けられ、評価ユニットが使用される場合は代わりに評価ユニットに保護キャップを取り付けることを可能にする。保護キャップの落下を避けるためには、まず第一に保護キャップが、第二に放出ヘッド及び主セグメントが安定な結合を可能にするために好適であるべきである。これは、例えば対応するラッチング要素によって、差し込みによって、又はねじによって達成されることができる。
【００３３】
保護キャップ及び評価ユニットの主セグメントは、同一の結合装置を持つことができ、それは、各場合において放出ヘッド又は液体リザーバーの結合装置に結合されることができる。保護キャップ及び主セグメントの両方に対して同一の結合装置の使用は、主セグメントが放出ヘッド又は液体リザーバーに取り付けられることを可能にし、評価ユニットがなくなっている場合には保護キャップが取り付けられる。それゆえ、放出ヘッド又は液体リザーバーは、評価ユニットの取り付けを可能にするために特別な方法で構成される必要がない。それでもなお、寸法の少しの変動は、放出ヘッド又は液体リザーバーに結合される評価ユニットが保護キャップの除去のために通常必要とされる努力より大きい増加した努力のみで取りはずしされることができる状況を達成することができる。
【００３４】
第一の全体設計の評価ユニットの主セグメントは、開放領域（ｆｒｅｅ  ｒｅｇｉｏｎ）を包囲する環状区域を有することが好ましく、それを通してポンプディスペンサーは、結合位置まで押されることができる。環状区域を有する評価ユニットの構成は、まず直感的に理解できる。なぜなら、評価ユニットがポンプディスペンサーにどのように取り付けられているかを環状区域の開放領域を通して極めて簡単に見られることができるからである。さらに、環状区域は、特に安定した保持を可能にし、商業的に入手可能なポンプディスペンサーに極めて満足のいく方法で美的に一体化されることもできる。
【００３５】
環状区域は、閉じられていることが好ましい。しかしながら、例えば組み立てられた状態ではわずかに広げられ、結果として強い挟む力による固定を可能にするために、環に溝がつけられる設計も考えられる。
【００３６】
電子構成要素及び／又は電池のための受容ハウジングは、一つの側の環状区域に与えられることができる。環状区域に非対称的に配置されるこのタイプの受容ハウジングは、必要でありうる。なぜなら環状区域にのみ電池を含む希望の電子構成要素を与えることは、通常難しいからである。特に、作動セグメントを案内するための機構はまた、もし環状区域がそれに取り付けられるか又はその上に一体的に形成される受容ハウジングによって非対称的な方法で補足されるなら、より簡単に一体化されることができる。特に、このタイプの受容ハウジングはまた、評価ユニット自体がディスプレイを持つことになるときに好都合である。このタイプのディプレイは、通常、ほとんど満足に読めない方法で環状区域に収容される。
【００３７】
作動セグメントは、様々な方法で主セグメントに対して動かされることが可能である。従って、例えば、旋回可能な動きも考えられる。しかしながら、作動セグメントは、評価ユニットの主セグメントに並進的な方法でスライドガイドによって案内されることが好ましい。構成に依存して、スライドガイドは、直線的な動き、又はわずかな湾曲を起こす動きを可能にする。
【００３８】
スライドガイドは、極めて簡単な方法で実現されることができ、放出ヘッドのベースに対する作動ボタンの通常直線的な動きのため、主セグメントに対する作動ボタンの同一の動きを可能にするために好適である。
【００３９】
特に作動セグメントが押し下げられるときにこのタイプのスライドガイドの場合に主セグメントのハウジング中に下がることが好ましいガイド区域は、増大した安定性を達成するために補強されることが好ましい。これは、特にガイド区域が湾曲した横断面を有することによって達成されることができる。このタイプの湾曲した横断面は、作動ボタンの通常丸い横断面形状に従い、前記作動ボタンを部分的に包囲するように与えられることができる。
【００４０】
作動セグメントは、一つの側から作動ボタンを越えて突出する押圧面を有することが好ましく、その結果、作動ボタンは、作動セグメントが押し下げられることによって間接的に同様に押し下げられる。
【００４１】
前記押圧面は、評価ユニットが取り付けられた場合に使用者によって力が直接付与される面であり、その結果、作動セグメントの作動が作動ボタンの作動の場合に偶発的に起こる危険が低い。作動セグメントは、好ましくは一つの側から作動ボタンを越えて突出する一方で、作動ボタンを両側で自由なままにし、その結果、放出開口は、突出する作動ボタンにかかわらず放出方向に影響を受けないままである。
【００４２】
評価ユニットは、好ましくは伝動装置を有し、それによって主セグメントに対する作動セグメントの動きは、異なる方向に向けられた動き又は異なるように制限された動きに変換され、その変換された動きは、次いで検出センサーを始動するために利用される。
【００４３】
伝動装置は、検出センサー、特にそれから離隔されるスイッチが始動されるように作動セグメントから発出する力が偏向されることを容易にする。特に、伝動装置は、作動ボタンの動きが第一段階で伝動装置の偏向をもたらすが、次いで伝動装置をもはやさらに動かさないように限定された動きを実施することができる。結果として、検出センサー、例えばスイッチが作動セグメントの過剰な圧縮によって損傷される危険が減少される。この目的のため、特に、伝動装置は、接触部材を有することができ、接触部材は、作動セグメントが動かされる場合において、接触部材がまず作動セグメントと同様に動かされ、次いで連続した方法で動かされる作動セグメントに対して個々の動きなしでスライドするように配置される。
【００４４】
評価ユニットの第二の全体設計を有するセットの場合には、評価ユニットは、検出センサーを含むセンサーユニットを有することが好ましい。前記センサーユニットは、ポンプディスペンサーの液体リザーバーと、受容容器の底又はその底側に取り付けられるクロージャーとの間に配置される。
【００４５】
受容容器の下方の第二端、及びおそらくそこに与えられるクロージャーの領域の検出センサーの配置は、極めて簡単な評価を可能にする。作動の場合には、センサーユニットは、その全体を一緒に押される。機械的に又は電子的に与えられるしきい値に達する場合には、作動は、そのとき起こったものとして評価ユニットの電子部品によって知覚されることができる。
【００４６】
特に、このようにして配置される検出センサーは、力センサー又は圧力センサーであることができ、それは、液体リザーバーから受容容器の底部又はそこのクロージャーの方向に作用する力又は圧力を測定する。
【００４７】
二つの設計変更例は、評価ユニットの第二の全体設計に関して特に有利であると考えられる。
【００４８】
評価ユニットの第二の全体設計を有するセットの場合には、第一の設計変更例の場合、受容容器は、その第二下端で永久に閉じられた構成を持つことができ、その第一端で、少なくとも液体リザーバーを押し込むことができるために十分に大きい開口を有することができる。「永久に閉じられた」はまた、基本的に開放を可能にするが、使用者に対して受け入れ可能な努力でそれを可能にしない設計を意味すると理解される。
【００４９】
前記設計の変更例の場合、適切な使用では、ポンプディスペンサーは、上から、即ち第一端から受容容器中に押される。ここで、受容容器は、少なくとも液体リザーバーが受容容器に完全に又は実質的に完全に（８０％より多く）受容されることができるように十分に長いことが好ましい。
【００５０】
押し込まれたポンプディスペンサーが受容容器から続いて落ちることができないようにするためには、受容容器は、保持装置を与えられることが好ましく、その保持装置によって以前に押し込まれたポンプディスペンサーは、外にスライドすることに対して非ポジティブ又はポジティブロック態様で固定されることができる。最も簡単な場合において、このタイプの保持装置は、弾性的に偏向可能なつめであることができる。ここでは、これが交換の目的のためのポンプディスペンサーの意図した除去時に破壊される必要がないことが重要である。より複雑なシステムもまた、与えられることができ、それは、保持装置が、受容容器から分離した部分を持ち、この部分は、ポンプディスペンサーが受容容器中に押された後に上部に置かれ、例えば差し込み又はねじによって固定される。
【００５１】
評価ユニットの第二の全体設計を有するセットの場合には、第二設計の変形例の場合において、受容容器は、両側に開口構成を持つことができ、第一端の開口は、ポンプディスペンサーの最大横断面より少なくとも複数の区域において小さい内側横断面を有し、その結果、ポンプディスペンサーは、内側から部分的にのみ開口を通して押し出されることができるが、少なくとも放出開口が押し出されることができる。前記第二設計の変形例の場合には、意図した使用中、ポンプディスペンサーは、反対の第二端から、即ち下から導入される。上部の第一端の受容容器の開口のサイズのため、ポンプディスペンサーは、ここでは限られた範囲でのみ押し出されることができる。
【００５２】
前記第二設計の変更例の場合には、評価ユニットは、第二端で受容容器を閉じるためのクロージャーを有することが好ましく、クロージャーは、それが除去されかつ結合されることができるように構成され、かくしてそれは、古いポンプディスペンサーが取りはずされるか又は再挿入されるときに脱着されることができ、新しいポンプディスペンサーが前記新しいポンプディスペンサーの挿入後に受容容器に固定されることができる。
【００５３】
受容容器へのクロージャーの固定はまた、ねじ又は差し込みによって行なうことができる。摩擦ロック結合もまた、基本的に考えられるが、好ましくない。
【００５４】
クロージャーは、受容容器よりかなり短くかつ下端で受容容器を単に閉じる部分として構成されることができる。しかし、クロージャーはまた、より大きい長さを持つことができ、結果として受容容器へのクロージャーの固定は、代わりに評価ユニットの対向端間の中心で行なうことができる。
【００５５】
受容容器とともに、クロージャーは、ポンプディスペンサーのための内部空間を規定する。前記内部空間は、ポンプディスペンサーの少なくとも液体リザーバーがその中で完全に又は実質的に完全に（８０％より多く）受容されることができるのに十分大きいことが好ましい。
【００５６】
記載されたタイプのクロージャーを有する評価ユニットの一つの設計の場合において、クロージャー自体がセンサーユニットを持つなら有利であり、複数の変形例がここでは可能である。クロージャーは、センサーユニットの電子構成要素のためのハウジングを直接形成することができる。代替例として、センサーユニットは、クロージャー内に固定して又は取りはずし可能なように与えられる専用ハウジングを持つことができる。
【００５７】
受容容器は、少なくとも複数の区域で透明材料、特に透明プラスチックから製造されることが好ましい。受容容器の透明設計は、前記ポンプディスペンサーを受容容器中に挿入した後であってもポンプディスペンサーの上の印刷を読むことができるときに与えられるものとして考えられ、その印刷の正確な読みやすさを可能にする。結果として、異なるポンプディスペンサーは、それらが各場合において評価ユニットの受容容器中に挿入されるときであっても信頼性高く識別されることができる。
【００５８】
第二設計の変形例による評価ユニットの場合において、もし保護キャップが与えられるなら有利である。前記保護キャップは、評価ユニットなしでポンプディスペンサーを使用する場合であってもポンプディスペンサーの放出ヘッドに固定されることができる保護キャップであることが基本的に考えられる。しかしながら、このタイプの設計は、評価ユニットの構造を制限し、その結果、もしセットが受容容器の第一端に取りはずし可能に固定するために構成される保護キャップを含むなら好ましいと考えられる。おそらくポンプディスペンサーで供給される専用保護キャップは、もはや使用されず、受容容器に固定されることができる保護キャップによって交換される。受容容器に固定するための前記保護キャップは、ポジティブロック又は非ポジティブ作用による結合によって通常の方法で受容容器に取りはずし可能に固定されることができる。
【００５９】
冒頭で既に述べたように、検出されたデータの評価は、評価ユニットで直接行なうことができ、その結果、評価ユニットは、データを送るためにいかなるインターフェースも必要としない。しかしながら、評価ユニットが検出されたデータをさらなる装置に送信することができる設計が好ましい。なぜならこれは、検出されたデータのより深い分析及び改良された視覚的準備を可能にするからである。
【００６０】
評価ユニット自体は、例えばＷＬＡＮ、４Ｇ無線ネットワーク又は５Ｇ無線ネットワークによってインターネットに接続されることがここでは基本的に考えられる。それは、次に検出されたデータを中央サーバーに送ることができるが、使用者のさらなる活性装置をそれらの間に接続しなくても送ることができる。
【００６１】
しかしながら、もしポンプディスペンサー及び評価ユニットを有するセットが無線インターフェース、特に上述のブルートゥース（登録商標）インターフェースによって評価ユニットに接続される携帯評価装置、特に使用者の携帯電話の形のものをさらに含むなら、好ましい。検出されたデータの評価のためのプログラムは、前記携帯評価装置で実行することができる。評価ユニットのデータを補足するために評価装置のさらなるセンサーもまた使用することができる。例えばＧＰＳを介して可能であるようなグローバルローカライゼーションは、かなりの大きな技術的複雑性と関連され、その結果、対応する技術的設計のない評価ユニットを保持し、代わりに携帯評価装置、即ち特にプログラム（ａｐｐ）を有する携帯電話を位置の検出のために使用することが有利でありうる。しかしながら、評価ユニット自体にグローバルローカライゼーションのための装置を与えることが好都合でありうる。なぜなら携帯評価装置は、評価ユニットと同じ位置にあることを常に確実にする必要はないからである。
【００６２】
時間及び位置のような、作動に直接関係するデータは、評価ユニット又は携帯評価装置が記憶又は評価するデータに属することができる。しかしながら、例えば作動スピード又はストローク長のような作動の特性特徴もまた、評価されることができる。例えば温度のような周囲パラメーターの評価も都合が良い。データは、評価ユニットによって直接又は携帯評価装置によって中央サーバーに送られることが好ましい。中央サーバーは、複数の使用者にわたる場合でも補助的な分析を可能にする。
【００６３】
セットは、携帯評価装置、特に携帯電話の形態のものを含むことが好ましく、それは、無線インターフェースによって評価ユニットに接続される。
【図面の簡単な説明】
【００６４】
本発明のさらなる利点及び態様は、図面に基づいて以下の文章に記載される本発明の好ましい例示的実施形態の以下の記載及び請求の範囲からもたらされる。
【００６５】
【図１】図１は、従来技術で知られている通常のポンプディスペンサーを示す。
【００６６】
【図２−３】図２及び３は、図１のポンプディスペンサーに関する作動の場合の操作の方法を断面図で示す。
【００６７】
【図４】図４は、第一の全体設計に従った、図１〜３のポンプディスペンサー、及びそれに取り付けられた評価ユニットを有する、本発明によるセットを示す。
【００６８】
【図５】図５は、図４のセットの個々の構成要素及び組み立てのタイプの断面図を示す。
【００６９】
【図６】図６は、組み立てが完了した後の図４のセットを断面図で示す。
【００７０】
【図７−８】図７及び８は、図４のセットに関する作動の場合の操作の方法を断面図で示す。
【００７１】
【図９】図９は、第一設計変形例における第二の全体設計に従った、図１〜３のポンプディスペンサー、及びそれに取り付けられた評価ユニットを有する、本発明によるセットを示す。
【００７２】
【図１０】図１０は、組み立てが完了した後の図９のセットを示す。
【図１１】図１１は、組み立てが完了した後の図９のセットを示す。
【００７３】
【図１２】図１２は、図９のセットに関する作動の場合の操作の方法を断面図で示す。
【００７４】
【図１３】図１３は、第二設計変形例における第二の全体設計に従った、図１〜３のポンプディスペンサー、及びそれに取り付けられた評価ユニットを有する、本発明によるセットを示す。
【００７５】
【図１４】図１４は、組み立てが完了した後の図１３のセットを示す。
【図１５】図１５は、組み立てが完了した後の図１３のセットを示す。
【００７６】
【図１６】図１６は、図１３のセットに関する作動の場合の操作の方法を断面図で示す。
【００７７】
【図１７】図１７は、携帯電話による中央サーバーへの本発明によるセットの接続を示す。
【発明を実施するための形態】
【００７８】
図１〜３は、本発明によるセットの一部である、実質的に従来のポンプディスペンサーを示す。
【００７９】
図１に関して、ポンプディスペンサー１０は、上部が開放している容器として構成される液体リザーバー２０を有し、その液体リザーバー２０の外殻壁２２に印刷（ｉｎｓｃｒｉｐｔｉｏｎ）２６が与えられていることがわかる。放出ヘッド３０は、ねじの形態の結合装置４２によって液体リザーバーに結合されている。前記放出ヘッド３０は、ポンプディスペンサーの主要方向の範囲２の方向に押し下げられることができる作動ボタン６０を有し、その作動ボタン６０は、適切な使用では、作動面６４の領域に力を付与することによって手で押し下げられ、結果として、作動ボタンに与えられる放出開口６２を通って液体リザーバー２０から液体を放出する。使用しない状態では、放出ヘッドは、保護キャップ７０によってカバーされ、それは、ラッチング縁４４の領域でラッチング態様で放出ヘッドのベース４０に固定される。
【００８０】
図２からわかるように、ポンプ装置５０は、放出ヘッド３０内に与えられる。前記ポンプ装置５０は、ポンプ室５２を含み、その容積は、作動ボタン６０の押し下げによって減少されることができ、そのポンプ室５２は、入口通路５３を介して液体リザーバー２０に、そして出口通路５５を介して放出開口６２に接続されている。入口通路５３及び出口通路５５の両方は、各場合において弁５４，５６を有する。入口弁５４は、液体リザーバー２０に対してポンプ室５２が負圧の場合、従って作動ボタン６０の上方向への復元する動きの場合、開放する。この段階において、出口弁５６は、閉じられる。なぜならそれは、周囲大気圧に対してポンプ室５２が正圧の場合にのみ開放するからであり、そうでなければ、閉じるからである。対照的に作動ボタン６０の押し下げの場合には、出口弁５６は、開放するが、入口弁５４は、閉じられる。このようにして、図３で見られるように、作動ボタン６０の押し下げによってポンプ室５２からの液体が作動方向４に動かされることが可能である。本発明の例示的な実施形態の場合には、ポンプ装置５０は、ベローズポンプ装置として構成され、従ってポンプ室５２を包囲するベローズ体５１を有する。他の可能な全体設計、例えばピストンポンプが与えられ、その場合において、作動ボタン６０の押し下げの場合には、ピストンは、ポンプ室５２を小さくするためにシリンダ内で動かされる。
【００８１】
図４〜８は、本発明によるセットの第一の例示的な実施形態を示す。
【００８２】
図４は、図６のように組み立てられた状態を示す。上記のポンプディスペンサー１０は、評価ユニット１００を補足されていることがわかる。前記評価ユニット１００は、断面図で示されている図５の予め組み立てられた状況に基づいて記載されるだろう。
【００８３】
評価ユニット１００は、電子構成要素を受容するための受容ハウジング１１６に一方の側で併合する環状区域１１４を有する。環状区域１１４及び受容ハウジング１１６は、一緒に評価ユニット１００の主セグメント１１０の本質的な部分を形成する。外側から見ることができる評価ユニット１００の第二要素は、作動セグメント１２０であり、それは、評価ユニット１００の上側で略Ｌ形状で与えられ、主セグメント１１０に対して並進態様で鉛直スライドガイド１１８によって動かされることができる。これは、一部がスイッチ１４０を作動する伝動構成要素１５０を旋回するためにさらなる文章で説明される方法において好適である。
【００８４】
スイッチ１４０は、受容ハウジング１１６におけるセンサーユニット１３０の一部である。さらに、詳細に示されない方法では、センサーユニット１３０は、ブルートゥース（登録商標）、ＷＬＡＮ及び／又は携帯通信（３Ｇ，４Ｇ，５Ｇ）のための無線要素を有する。さらに、電力供給源としての電池、及び特に温度センサー、ＧＰＳチップ及び加速度センサーのようなさらなるセンサーも含められる。本発明の例示的な実施形態の場合には、さらに、ディスプレイ１６０も与えられるが、それはまた、意図した目的に依存して、なしで済ませることもできる。
【００８５】
さらに、図５に関連して、組み立てがどのように行なわれるかが理解することができる。溝１１５の形態の結合装置は、主セグメント１１０の環状区域１１４の内側に与えられる。前記結合装置は、それが放出ヘッドのベース４０のラッチング縁４４に結合されることができるように寸法決定され、このようにして慎重に接合される接続は、評価ユニットがキャップとともに偶然に引き離されないために極めて硬い。さらに、主セグメント１１０の環状区域１１４は、ラッチング縁１１７を有し、それは、その構成に関して、ラッチング縁４４のそれとほぼ対応し、結果として、保護キャップ７０は、ここではその上に与えられるラッチング溝７２でラッチングされることができる。
【００８６】
換言すれば、図４〜８によるセットの組み立ての場合には、評価ユニット１００は、放出ヘッド３０に固定され、そこでは、そうでなければ保護キャップ７０が固定されるだろう。保護キャップ７０は、その一部について評価ユニット１００のラッチング縁１１７に固定される。
【００８７】
図６は、組み立てられた状態の断面図を示す。
【００８８】
操作は、図７及び８に基づいて明確にされる。評価ユニット１００の作動セグメント１２０は、作動ボタン６０の作動面６４を越えて突出し、その結果、作動ボタン６０に対する力の付与は、作動セグメント１２０の押し下げによって使用者に直感的で明らかな方法で行なわれる。この目的のため、押圧面１２４は、作動セグメント１２０の上側に与えられる。もし作動セグメント１２０が図８で示されるような作動方向４に押し下げられるなら、これはまた、作動ボタン６０の押し下げ、従って液体の放出に導く。
【００８９】
しかしながら、同時に、作動セグメント１２０の下縁１２６は、図８が示すような側に伝動構成要素１５０を押す。前記伝動構成要素１５０は、伝動構成要素１５０の下端に与えられる旋回軸のまわりを工程中に旋回し、その結果、張り出し棒１５４がスイッチ１４０を起動し、従って評価ユニット１００の前記センサーユニット１３０が行なわれた放出操作を検出することを可能にする。センサーモジュールは、タイムスタンプ、位置明細、及び／又は他のセンサーのデータとともに作動を記憶し、かつ／又は無線方式でそれを受信器に送信することができる。
【００９０】
作動セグメント１２０の継続した押し下げは、伝動構成要素１５０のさらなる偏向に導かない。なぜなら伝動構成要素１５０はこの時、作動セグメント１２０の上に沿ってスライドするからである。それゆえ、作動セグメント１２０の過剰に大きな動きが評価ユニット１００の他の構成要素を損傷することを恐れる理由はない。
【００９１】
図９〜１２は、第二の例示的実施形態を示す。ポンプディスペンサー１０もまた、ここで使用され、そのポンプディスペンサー１０は、図１〜３に示されたものと同じように構成されることができる。
【００９２】
さらに、図９〜１２によるセットは、評価ユニット２００を含み、それは、この場合において最初に受容容器２１０によって形成され、その下方の底２１４にはセンサーユニット２３０が載る。力又は圧力センサー２４２は、前記センサーユニット２３０に配置され、その力又は圧力センサー２４２は、センサーユニット２３０の上側２３２に付与される力によって起動されることができる。受容容器２１０は、ある長さを持ち、その長さによって、ポンプディスペンサー１０は、優勢に受容されることができ、その液体リザーバー２０は、完全に受容されることができる。
【００９３】
図１１は、組み立てられた状態を示す。受容容器２１０の内側のその上端２１０ａのラッチング環の形の保持装置２４０は、挿入されたポンプディスペンサー１０が受容容器２１０からずり落ちる危険がないことを確実にする。さらに、ポンプディスペンサー１０の液体リザーバー２０は、センサーユニット２３０の上側２３２の底部２８の上にあることがわかる。図１１は、それ以外にさらに、セットが保護キャップ２７０を有することを示し、それは、本ケースでは、摩擦ロック結合によって受容容器２１０の上端２１０ａに固定される。
【００９４】
図１２は、図９〜１１によるセットの使用を明確にする。前記使用中、使用者は、通常、少なくとも親指と中指で受容容器２１０のまわりを把握し、人指し指によって作動ボタン６０を作動方向４に作動する。上で既に記載した方法では、ここで付与される力は、ポンプ室５２の容積の減少をもたらし、それゆえポンプ室５２からの液体の放出をもたらす。
【００９５】
さらに、前記力はまた、センサーユニット２３０の上側２３２に（矢印６によって示されるように）作用し、従って評価ユニット２００の電子構成要素が放出操作を検出することを可能にする。検出された作動の後、さらなる処理は、上記のように行なわれることができる。
【００９６】
図１３〜１６は、同様のタイプの設計を示す。ここでも、図１〜３に従ったポンプディスペンサー１０が与えられ、そのポンプディスペンサー１０は、受容容器２１０に受容される。
【００９７】
しかしながら、この場合において、ポンプディスペンサー１０は、下から組み立て方向に受容容器２１０内に押され、その結果、究極的には放出ヘッド３０又は少なくとも作動ボタン６０は、受容容器２１０から上に突出する。クロージャー２２０は、受容容器の下端２１０Ｂにねじ２２２によって組み立て方向８に固定され、前記クロージャーは、前述の例示的な実施形態と同様又は同一のセンサーユニット２３０を有する。
【００９８】
（図１５及び１６に示された）操作の基本的な方法は、図１１及び１２のそれと同じである。ここでも、作動は、センサーユニット２３０の作動方向４に作用し、結果として力又は圧力センサー２４２が始動し、上記方法で前記情報のさらなる処理を可能にする。
【００９９】
ポンプディスペンサーの交換の場合にのみ実質的な差がある。図１３〜１６による設計の場合には、クロージャー２２０は、まず交換の目的のためにねじを緩められ、ポンプディスペンサー１０は、次いで取りはずされ、新しいポンプディスペンサー１０によって交換され、その結果、クロージャー２２０は、再びねじ固定されることができる。
【０１００】
記載された受容容器２１０は、透明プラスチックから製造され、その結果、受容容器にかかわらず印刷２６を読みとることができる。
【０１０１】
図１７は、（図４〜８によるセットに基づく例示によって）データ移動に関するセットの操作の方法を示す。その受容ハウジング１１６では、評価ユニット１００を与えられているポンプディスペンサー１０は、ブルートゥース（登録商標）規格に従った無線インターフェースを持つ。これによって、評価ユニット１００は、別個の評価装置３００に、本ケースでは携帯電話に結合される。これは、行なわれる放出ごとに、又は評価装置の不存在の場合には後の時間に、評価ユニット１００は、作動を携帯評価装置３００に送信し、そこでデータは、集計され、評価されることができることを意味する。
【０１０２】
データはまた、さらなるデータを補足されることができる。従って、例えば、作動の位置をデータに補足するため携帯電話のＧＰＳチップセットを使用することができる。携帯評価装置３００は、特にポンプディスペンサーの製造者の制御の領域において設けられることができる中央サーバー４００にインターネットを介して接続される。結果として、前記製造者は、使用についてのデータを受け、それを製品の改良時に使用することができる。携帯評価装置３００からのデータの評価の後、中央サーバー４００はまた、使用者に対して提案される行動に関する情報を送ることができる。ディスペンサーの充填レベルが考慮され、ポンプディスペンサーの追加の送出がおそらく自動的に提供又は実施されることも考えられる。
【０１０３】
ポンプディスペンサーの充填レベルの決定は、まず放出操作の数がカウントされることによって間接的に可能である。しかしながら、例えばセンサーユニット２３０は、前記ポンプディスペンサー１０の重量（その重量は、静止状態では前記センサーユニット２３０に作用する）に基づいてポンプディスペンサー１０中に残る液体がどれくらいかを決定することができることも考えられる。
【図１】
2022501282.tif 000003
【図２−３】
2022501282.tif 000004
【図４】
2022501282.tif 000005
【図５】
2022501282.tif 000006
【図６】
2022501282.tif 000007
【図７−８】
2022501282.tif 000008
【図９】
2022501282.tif 000009
【図１０】
2022501282.tif 000010
【図１１】
2022501282.tif 000011
【図１２】
2022501282.tif 000012
【図１３】
2022501282.tif 000013
【図１４】
2022501282.tif 000014
【図１５】
2022501282.tif 000015
【図１６】
2022501282.tif 000016
【図１７】
2022501282.tif 000017
【国際調査報告】
2022501282.tif 000018
2022501282.tif 000019
2022501282.tif 000020
2022501282.tif 000021